(57)【要約】【課題】多数の撮像装置により撮像された映像の中から所望の場所に設置された撮像装置により撮像された映像をユーザが直感的に選択して再生することができるようにすることにある。【解決手段】再生装置１０２は、多数の撮像装置１０３の１つであるカメラ５０１で撮像された映像の取得・再生中に、再生する映像を変更するユーザによるタッチパネル操作があったときに、ユーザがタッチパネルに触れた位置の変化を測定し、測定された変化に対応する移動情報を管理装置１０１に送信する。その後、移動情報に従って管理装置１０１で選択された多数の撮像装置１０３の他の１つであるカメラ５０５で撮像された映像を新たに取得し、再生する。【選択図】図６
2018170773.tif 000002
【特許請求の範囲】
【請求項１】
複数の撮像装置のうち第１の撮像装置の撮像処理により得られた映像を取得する取得手段と、
前記取得された映像を表示部に表示して再生する再生手段と、
タッチパネルに対して行われるユーザの操作に応答して、前記表示部に表示された映像を変更するための指示を受け取る受取手段と、
前記ユーザが前記タッチパネルに触れた位置の変化を測定する測定手段と、
前記測定された変化に対応する移動情報を外部装置へ送信する送信手段とを有し、
前記送信手段による送信処理の後、前記取得手段は、前記移動情報にしたがって前記外部装置で選択された、前記複数の撮像装置のうち前記第１の撮像装置とは異なる第２の撮像装置の撮像処理により得られた映像を新たに取得し、
前記再生手段は、前記新たに取得された映像を前記表示部に表示して再生することを特徴とする映像再生装置。
【請求項２】
前記測定手段は、前記ユーザが前記タッチパネルに触れた位置から離れた位置までの距離を変化として測定することを特徴とする請求項１に記載の映像再生装置。
【請求項３】
前記測定手段は、前記ユーザの触れた位置が複数あり、前記複数の位置の間隔を変化として測定することを特徴とする請求項１に記載の映像再生装置。
【請求項４】
前記外部装置は、前記複数の撮像装置の配置を示す位置関係情報を保持し、
前記第２の撮像装置は、前記位置関係情報が示す前記再生手段により再生されている映像が得られた前記第１の撮像装置の位置および前記移動情報にしたがって選択されることを特徴とする請求項１乃至３いずれか１項に記載の映像再生装置。
【請求項５】
前記測定された変化は、前記第１の撮像装置から前記第２の撮像装置までの台数に対応することを特徴とする請求項４に記載の映像再生装置。
【請求項６】
前記送信手段による送信処理の後、前記取得手段は、前記複数の撮像装置のうち前記第１の装置から前記第２の撮像装置までの間に存在する複数の撮像装置の映像を取得し、
前記再生手段は、前記複数の撮像装置から新たに取得された映像を連続して再生することを特徴とする請求項１乃至５のいずれか１項に記載の映像再生装置。
【請求項７】
前記第２の撮像装置は、前記移動情報に関連付けて予め設定された方向と台数に基づいて前記外部装置により選択されることを特徴とする請求項１乃至６のいずれか１項に記載の映像再生装置。
【請求項８】
前記移動情報は、さらに前記ユーザの操作の種類に対応することを特徴とする請求項１乃至７のいずれか１項に記載の映像再生装置。
【請求項９】
複数の撮像装置のうち第１の撮像装置の撮像処理により得られた映像を取得するステップと、
前記取得された映像を表示部に表示して再生するステップと、
タッチパネルに対して行われるユーザの操作に応答して、前記表示部に表示された映像を変更するための指示を受け取るステップと、
前記ユーザが前記タッチパネルに触れた位置の変化を測定するステップと、
前記測定された変化に対応する移動情報を外部装置へ送信するステップと、
前記送信処理の後、前記移動情報にしたがって前記外部装置で選択された、前記複数の撮像装置のうち前記第１の撮像装置とは異なる第２の撮像装置の撮像処理により得られた映像を新たに取得するステップと、
前記新たに取得された映像を前記表示部に表示して再生するステップを有することを特徴とする映像再生装置の制御方法。
【請求項１０】
コンピュータを請求項１乃至８のいずれか一項に記載の映像再生装置の各手段として機能させることを特徴とするプログラム。
【発明の詳細な説明】
【技術分野】
【０００１】
本発明は、多数の撮像装置で撮像された映像の中から所望の映像を再生できる映像再生装置及びその制御方法、並びにプログラムに関する。
【背景技術】
【０００２】
複数の撮像装置で撮像された複数の映像のうち所望の映像を選択して再生するとき、撮像装置の台数が多いほど映像の数も多くなるため映像の選択そのものが困難となる。例えば、数千〜数万台の撮像装置で撮像した全映像の一覧を画面に表示しても、各映像間の関係性及び個々の映像の撮像場所をすぐに判断することができず、映像の選択を瞬時に行うことは困難である。
【０００３】
そのため、再生端末の画面の地図上に複数の移動式カメラの配置場所を示すアイコンを表示し、これらのアイコンの１つを選択することによって当該アイコンに対応するカメラで撮像された映像を再生端末に表示する表示画像切替装置がある（特許文献１参照）。
【先行技術文献】
【特許文献】
【０００４】
【特許文献１】特開２０１２−１５６５７１号公報
【発明の概要】
【発明が解決しようとする課題】
【０００５】
しかしながら、上述の表示画像切替装置は、多数の映像の中から所望の映像を直感的に選択して再生することは困難である。
【０００６】
本発明の目的は、多数の映像の中から所望の映像を直感的に選択して再生することができる映像再生装置及びその制御方法、並びにプログラムを提供することにある。
【課題を解決するための手段】
【０００７】
上記目的を達成するために、本願に係る発明の１つである映像再生装置は、複数の撮像装置のうち第１の撮像装置の撮像処理により得られた映像を取得する取得手段と、前記取得された映像を表示部に表示して再生する再生手段と、タッチパネルに対して行われるユーザの操作に応答して、前記表示部に表示された映像を変更するための指示を受け取る受取手段と、前記ユーザが前記タッチパネルに触れた位置の変化を測定する測定手段と、前記測定された変化に対応する移動情報を外部装置へ送信する送信手段とを有し、前記送信手段による送信処理の後、前記取得手段は、前記移動情報にしたがって前記外部装置で選択された、前記複数の撮像装置のうち前記第１の撮像装置とは異なる第２の撮像装置の撮像処理により得られた映像を新たに取得し、前記再生手段は、前記新たに取得された映像を前記表示部に表示して再生することを特徴とする。
【発明の効果】
【０００８】
本発明によれば、撮像装置の位置関係及び撮像装置により撮像された映像を再生する映像再生装置上での操作に基づいて、映像を撮像している撮像装置を切り替えることによって多数の映像の中から所望の映像を直感的に選択して再生することができる。
【図面の簡単な説明】
【０００９】
【図１】本発明の実施の形態に係る映像再生システムの構成を概略的に示すブロック図である。
【図２】図１における管理装置の内部構成を示すブロック図である。
【図３】図１における再生装置の内部構成を示すブロック図である。
【図４】図１における撮像装置の内部構成を示すブロック図である。
【図５】図４の撮像装置が大規模な競技場に多数配置されたときの各撮像装置の位置関係を説明するのに用いられる図であり、（Ａ）は多数の撮像装置が配置された大規模な競技場の俯瞰図であり、（Ｂ）は各撮像装置の位置関係を示す表である。
【図６】図１の映像再生システムによって実行される映像再生処理の手順を示すフローチャートである。
【図７】図６の映像再生処理の変形例の手順を示すフローチャートである。
【図８】図６の映像再生処理の他の変形例の手順を示すフローチャートである。
【図９】図４の撮像装置を切り替える際の移動情報を説明するのに用いる図である。
【図１０】図３の再生装置の操作方法を説明するのに用いる図である。
【発明を実施するための形態】
【００１０】
以下、本発明の実施の形態を図面を参照しながら詳述する。
【００１１】
図１は、本発明の実施の形態に係る映像再生システムの構成を概略的に示すブロック図である。
【００１２】
図１の映像再生システム１００は、多数の撮像装置１０３と、ユーザによって操作されると共に撮像装置１０３で撮像された映像を再生する再生装置１０２（映像再生装置）からなる。多数の撮像装置１０３と再生装置１０２は、管理装置１０１（外部装置）を介して互いに通信可能である。
【００１３】
図２は、図１における管理装置１０１の内部構成を示すブロック図である。
【００１４】
図２において、管理装置１０１は、ＣＰＵ２０１を介して互いに接続された一次記憶装置２０２及び二次記憶装置２０３、並びにネットワーク装置２０４からなる。ＣＰＵ２０１は、管理装置１０１の制御を行い、一次記憶装置２０２に格納されたプログラムに従って処理を実行する。一次記憶装置２０２は、一時的なデータを格納することができ、ＣＰＵ２０１が処理する各種制御プログラム等を格納する。二次記憶装置２０３は再生装置１０２を制御するための各種制御プログラムや設定情報等を格納する。
【００１５】
ネットワーク装置２０４は、図示しない外部装置に接続され、外部装置との間で制御コマンドやデータ通信を行う。外部装置との接続は、例えば、ＵＳＢ（Universal Serial Bus）ケーブル等の有線又は無線ＬＡＮ等の無線によって直接行われてもよく、サーバやインターネット等のネットワークを介して行われてもよい。また、データ通信を行うためのプロトコルには、例えば、ＰＴＰ（Picture Transfer Protocol）やＭＴＰ（Media Transfer Protocol）が用いられる。
【００１６】
図３は、図１における再生装置１０２の内部構成を示すブロック図である。
【００１７】
図３において、再生装置１０２は、ＣＰＵ３０１を介して互いに接続された一次記憶装置３０２及び二次記憶装置３０３、表示部３０４、操作部３０５、及び音声出力部３０７、並びにネットワーク装置３０６からなる。
【００１８】
一次記憶装置３０２及び二次記憶装置３０３、並びにネットワーク装置３０６は、図２の管理装置１０１における一次記憶装置２０２及び二次記憶装置２０３、並びにネットワーク装置２０４と夫々同様の装置である。
【００１９】
ＣＰＵ３０１は、入力された信号やプログラムに従って各種の演算を行うと共に再生装置１０２を構成する各部分の制御を行う。表示部３０４は、ＬＣＤ等のディスプレイ装置からなり、画像や操作を誘導する文字等を表示する。表示部３０４は必ずしも再生装置１０２が備える必要はないが、その場合、再生装置１０２は他の再生装置の表示部の表示を制御する表示制御機能を備えていればよい。操作部３０５は、例えば、キーボード、マウス、及びタッチパネルからなり、ユーザからの操作を受け付ける。音声出力部３０７は音声の出力を行うスピーカー等からなる。
【００２０】
図４は、図１における撮像装置１０３の内部構成を示すブロック図である。
【００２１】
図４において、撮像装置１０３は、一次記憶装置４０１、記録媒体４０２、ＣＰＵ４０３、操作部４０４、撮像素子４０５、表示部４０６、光学系４０７、音声入力装置４０８、通信制御装置４０９、及び二次記憶装置４１０からなり、これらは互いに接続されている。
【００２２】
一次記憶装置４０１は、一時的なデータを格納することができ、ＣＰＵ４０３によって処理される各種制御プログラム等を格納する。記録媒体４０２は撮像した画像データ等を格納する。また、記録媒体４０２は取り外し可能であると共にパーソナルコンピュータ（以下、「ＰＣ」という）等に装着してデータを読み出すことが可能である。すなわち、記録媒体４０２は、撮像装置１０３とアクセスでき、且つ記録媒体４０２へのデータの格納及び読み出しができればよい。
【００２３】
ＣＰＵ４０３は入力された信号やプログラムに従って各種演算及び撮像装置１０３の構成部分の制御を行う。操作部４０４は、ユーザが撮像装置１０３に操作を指示するためのボタン、レバー、及びタッチパネルを有する。撮像素子４０５は光学系４０７を通って結像した光を画像に変換する。
【００２４】
表示部４０６は撮像時のビューファインダー画像、撮像した画像、操作を誘導する文字等を表示する。光学系４０７は、レンズ、シャッター、絞りを有し、被写体からの光を適切な量とタイミングで撮像素子４０５に結像させる。音声入力装置４０８はマイク等を介して音声の入力を行う。
【００２５】
通信制御装置４０９は外部装置に接続されると共に外部装置との間で制御コマンドやデータの送受信を行う。外部装置との接続は、例えば、ＵＳＢケーブル等の有線又は無線ＬＡＮ等の無線によって直接行われてもよく、サーバやインターネット等のネットワークを介して行われてもよい。また、データ通信を行うためのプロトコルには、例えば、ＰＴＰやＭＴＰが用いられる。二次記憶装置４１０は撮像装置１０３を制御するためのプログラム（ファームウェア）や各種の設定情報等を格納する。
【００２６】
図５は、図４の撮像装置が大規模な競技場に多数配置されたときの各撮像装置の撮像位置の関係を説明するのに用いられる図であり、（Ａ）は多数の撮像装置が配置された大規模な競技場の俯瞰図であり、（Ｂ）は各撮像装置の位置関係を示す表である。
【００２７】
図５において、大規模な競技場はサッカースタジアム５００である。サッカースタジアム５００には、数千〜数万台の焦点距離固定式の撮像装置１０３が配置されており、全ての撮像装置１０３がサッカースタジアム５００の中心を向くように配置されている。位置関係情報５２０は、各撮像装置１０３の位置関係を一覧で表示しており、管理装置１０１が備える二次記憶装置２０３に格納されている。このように、全ての撮像装置１０３の位置関係は位置関係情報５２０から把握することができる。
【００２８】
位置関係情報５２０は、例えば、撮像装置１０３としてカメラ５０１〜５０５、５１０が配置されていることを示す。また、カメラ５０１（カメラＩＤはＩＤ＿１）の左方向にはカメラ５０２（カメラＩＤはＩＤ＿２）が配置され、カメラ５０１の前方にはカメラ５０３（カメラＩＤはＩＤ＿３）が配置されていることを示す。また、サッカースタジアム５００の中心に関するカメラ５０１の点対称位置にはカメラ５１０（カメラＩＤはＩＤ＿１００）が配置されていることを示す。さらに、位置関係情報５２０はカメラ５０１の後方には撮像装置１０３が１つも配置されていないことを示している。
【００２９】
位置関係情報５２０は、各カメラが後述する図６において再生装置１０２の表示部３０４に最初に表示する映像を撮像したカメラ（以下、「初期カメラ」という）として用いることができるか否かを表示している。具体的には、位置関係情報５２０では初期カメラとして用いることができるカメラは「初期カメラ」の欄に「ｔｒｕｅ」で示され、初期カメラとして用いることができないカメラは「初期カメラ」の欄に「ｆａｌｓｅ」で示される。これにより、カメラ５０１のみが初期カメラとして使用できることが分かる。
【００３０】
図６は、図１の映像再生システムによって実行される映像再生処理の手順を示すフローチャートである。
【００３１】
図６において、まず、スマートフォン、タブレット等の再生装置１０２にサッカースタジアム５００の映像を再生するためのアプリケーション（映像再生アプリ）がダウンロードされ、一次記憶装置３０２又は二次記憶装置３０３に記憶される。再生装置１０２は、ユーザの指示に応答して映像再生アプリを起動する（ステップＳ６０１）。再生装置１０２は表示部３０４に最初に表示する映像を管理装置１０１に要求する（ステップＳ６０２）。管理装置１０１は位置関係情報５２０に基づいて初期カメラを決定すると共に初期カメラに映像を要求する（ステップＳ６０３）。以下の説明において、初期カメラはカメラ５０１とする。
【００３２】
映像が要求されたカメラ５０１は管理装置１０１に映像データを送信する（ステップＳ６０４）。映像を受信した管理装置１０１は再生装置１０２に映像を転送し、カメラ５０１のＩＤであるＩＤ＿１を再生装置１０２に送信する（ステップＳ６０５）。再生装置１０２は受信した映像を再生する（ステップＳ６０６）。ステップＳ６０５において、管理装置１０１が再生装置１０２に映像のみならず初期カメラのＩＤを再生装置１０２に送信するため、管理装置１０１が各再生装置１０２の初期カメラのＩＤを格納し、管理する必要を無くすことができる。
【００３３】
次いで、再生装置１０２は、ユーザの操作に応答して表示部３０４に表示される映像を切り替えるための切替指示を受け取る（ステップＳ６１０）。再生装置１０２はユーザの操作に基づいて切り替え先の撮像装置の位置を判定する（ステップＳ６１１）。この判定は、切り替える前の撮像装置（以下、「基準カメラ」という）を基準としてユーザの操作に応じて切り替え先のカメラの方向及び切り替え先のカメラに到達するまでに経由する撮像装置の台数（以下、「移動情報」という）に基づいて行われる。当該移動情報９００は、図９に示すようにユーザが行った操作の種類に関連付けて予め決められており、管理装置１０１の二次記憶装置２０３に格納されている。
【００３４】
本実施例のユーザ操作は、例えば、再生装置１０２がタブレットの場合において、ユーザが指で画面に触れてはじくように動かすフリック操作である。再生装置１０２は、フリック操作において、ユーザの指が画面に触れてから離れるまでの距離を測定する。測定された距離が所定値よりも長ければ、操作の程度を“強”と判定し、短ければ“弱”と判定する。なお、測定された距離がある閾値よりも短ければ、フリック操作ではなく、タップ操作等、他の操作が行われたと判定する。図９において、ユーザが指を右側に移動し、所定値よりも長い距離のフリック操作を行うと、基準カメラの左方向２つ目の撮像装置の映像に切り替えられる。本実施の形態では、映像再生処理における最初の基準カメラは初期カメラであるため、前述の操作によってカメラ５０１からカメラ５０５に切り替わる。上記の例では、フリック操作の距離に応じて移動する撮像装置の台数を特定しているが、２本の指を画面上に載せてその間隔を縮小／拡大するピンチイン／ピンチアウト操作における指の移動距離等で移動する撮像装置の台数を特定してもよい。
【００３５】
図６に戻り、再生装置１０２は、基準カメラのＩＤ並びにステップＳ６１１で判定された移動情報を管理装置１０１に送信する（ステップＳ６１２）。本実施の形態では、再生装置１０２は、基準カメラのＩＤをステップＳ６０５において管理装置１０１から受信しているので、当該基準カメラのＩＤを管理装置１０１にすぐに送信できる。なお、基準カメラのＩＤは、基準カメラが変更される度に再生装置が送信してもよい。再生装置１０２が基準カメラの移動情報のみならず基準カメラのＩＤを管理装置に送信するため、管理装置１０１の基準カメラを把握する必要を無くし、もって切り替え先の撮像装置を迅速に選択することができる。
【００３６】
次いで、管理装置１０１は、再生装置１０２から受信した移動情報及び位置関係情報５２０に基づいて切り替え先の撮像装置を特定する（ステップＳ６１３）。例えば、基準カメラのＩＤはＩＤ＿１、基準カメラからの移動方向は左方向、移動する距離（撮像装置の台数）は２つとする移動情報を受信した場合について説明する。ＩＤ＿１（カメラ５０１）の左方向に撮像装置の台数１つ移動すればＩＤ＿２（カメラ５０２）が存在し、さらにＩＤ＿２（カメラ５０２）の左方向に撮像装置の台数１つ移動すればＩＤ＿５（カメラ５０５）が存在することが位置関係情報５２０から確認できる。よって、切り替え先の撮像装置１０３はカメラ５０５であると特定できる。
【００３７】
管理装置１０１はカメラ５０１，５０２，及び５０５に映像を要求し（ステップＳ６１４）、カメラ５０１，５０２，及び５０５は管理装置１０１に映像を送信する（ステップＳ６１５）。管理装置１０１は３つのカメラ５０１，５０２，及び５０５から受信した映像及び最終的な切り替え先となるカメラ５０５のＩＤ（ＩＤ＿５）を再生装置１０２に送信する（ステップＳ６１６）。その後も継続して、管理装置１０１は、カメラ５０５から映像を受信し、再生装置１０２に送信する。ステップＳ６１６においても、ステップＳ６０５と同様に、管理装置１０１が再生装置１０２に映像のみならず切り替え後のカメラのＩＤを再生装置に送信するため、管理装置１０１が初期カメラのＩＤを格納し、管理する必要を無くすことができる。再生装置１０２は管理装置１０１から受信したカメラ５０１、５０２で撮像された映像を順に再生する。そして、その後も、再生装置１０２はカメラ５０５で撮像された映像を管理装置１０１から継続して受信し、再生する（ステップＳ６１７）。その後、さらに他の撮像装置で撮影した映像に切り替えるときはステップＳ６０６以降の処理を繰り返す。一方、他の撮像装置で撮影した映像に切り替えないときや再生装置の電源を切るときは、本処理を終了する。
【００３８】
カメラ５０１からカメラ５０５に切り替えて映像を再生する場合、カメラ５０１乃至カメラ５０５の映像を連続的に再生する。具体的には、カメラ５０１の映像が再生されている状態からカメラ５０１の映像及びカメラ５０２の映像の両方が表示された状態となる。次にカメラ５０２だけの映像が表示された状態となる。次いでカメラ５０２とカメラ５０５の両方の映像が表示された状態となり、最終的にカメラ５０５だけの映像が再生される状態となる。このように、再生装置１０２はカメラ５０１，５０２，及び５０５の映像を順次切り替えて再生する。よって、切り替え後のカメラ５０５の映像がユーザの予想した映像と少し異なっている場合であっても、カメラの切り替え途中の映像からユーザはその前の映像を確認しているので、再度の切り替え指示が容易にできる（図１０（Ａ）における１００１〜１００３）。このとき、映像が切り替わると共に音声も同時に切り替わってもよい。
【００３９】
なお、上述したフリック操作による撮像装置の切り替えに加え、ピンチアウト操作（図１０（Ｂ）における１０１１〜１０１２）を行うと操作前の撮像装置の前方に位置する撮像装置へと撮像装置を切り替えるようにしてもよい。また、ピンチイン操作（不図示）を行うと操作前の撮像装置の後方に位置する撮像装置へと撮像装置を切り替えるようにしてもよい。ピンチイン／ピンチアウト操作はカメラのズームイン／ズームアウト操作と類似しているので前後のカメラに切り替える場合に有効な操作方法である。
【００４０】
また、画面下部から上部へのフリック操作（図１０（Ｃ）における１０２１〜１０２２）により、操作開始の直前に表示されていた映像を撮像していた撮像装置の前方に位置する撮像装置へ切り替えるようにしてもよい。また、画面上部から下部へのフリック操作（不図示）により、操作開始の直前に表示されていた映像を撮像していた撮像装置の後方に位置する撮像装置へと切り替えるようにしてもよい。
【００４１】
さらに、再生装置１０２を１８０度回転させる（図１０（Ｄ）における１０３１〜１０３２）とサッカースタジアム５００の中心を対称の中心とする点対称位置の撮像装置に切り替えることができる。
【００４２】
図６の処理によれば、再生装置１０２から受信した移動情報及び位置関係情報５２０に基づいて切り替え先の撮像装置を特定する（ステップＳ６１３）。よって、撮像装置を選択することなくユーザによる再生装置の操作内容に基づいて映像を切り替えることができ、もって多数の映像の中から所望の映像を直感的に選択して再生することができる。特に、図６の処理は、撮像装置の台数が多ければ多いほど所望の映像を選択するユーザの負担を軽減することができる。また、本映像再生処理は、位置関係情報５２０が予め管理装置１０１に格納されているのでユーザが撮像装置の設置場所や設置台数を把握していなくても本処理を実行できる。
【００４３】
図７は、図６の映像再生処理の変形例の手順を示すフローチャートである。
【００４４】
図７において、図６のステップＳ６１０〜Ｓ６１３と同様の処理が実行される。また、ステップＳ６１３において、例えば、基準カメラのＩＤがＩＤ＿３、基準カメラからの移動方向は前方、切り替え先のカメラに到達するまでに経由する撮像装置の台数は１つとする移動情報を再生装置１０２から受信したと仮定する。しかしながら、位置関係情報５２０からカメラＩＤ＿３の前方には撮像装置がないため、管理装置１０１は切り替え先の撮像装置１０３が存在しないと判断して再生装置１０２に切り替え先の撮像装置が存在しないことを通知する（ステップＳ７０５）。再生装置１０２は、切り替え先の撮像装置１０３が存在しないことを再生装置１０２の表示部３０４に表示して（ステップＳ７０６）、本処理を終了する。
【００４５】
ここで、撮像装置１０３が存在しないことを再生装置１０２の表示部３０４に表示する方法として、一度黒い画面が表示された後に操作前の映像が表示される方法がある（図１０（Ｅ）における１０４１〜１０４３）。例えば、再生装置１０２で映像を表示中に右方向にフリック操作を行うと他の撮像装置１０３に映像が切り替わるが、一度、黒い画面が表示されるので、ユーザは該当する他の撮像装置１０３が存在しないことを把握することができる。その他「カメラがありません」と表示する方法であってもよい。これにより、ユーザは映像を切り替えようとした方向に該当する撮像装置１０３が存在しないことを把握することができる。
【００４６】
さらに、切り替えようした方向に撮像装置が存在しない場合に位置関係情報５２０に記載された撮像装置１０３のいずれか１つに切り替えてもよい。例えば、カメラ５０３の前方に撮像装置はないが、ユーザがカメラ５０３の前方に映像を切り替えようとしたときに実際はカメラ５０３の後方に位置するカメラ５０１に切り替えるように設定することができる。
【００４７】
図７の処理によれば、再生装置１０２は、切り替え先の撮像装置１０３が存在しないことを再生装置１０２の表示部３０４に表示する（ステップＳ７０６）ので、ユーザが見たい位置の映像を撮像しているカメラが存在しないことをユーザに視覚的に伝えることができる。これにより、ユーザは映像を切り替えようとした方向に撮像装置１０３が存在していないことを把握することができ、さらに異なる方向の撮像装置１０３からの映像を選択する動作に速やかに移ることができる。
【００４８】
図８は、図６の映像再生処理の他の変形例の手順を示すフローチャートである。
【００４９】
図８において、図６のステップＳ６１０〜Ｓ６１３と同様の処理が実行され、管理装置１０１は、ステップＳ６１３において特定された撮像装置１０３が撮像した映像の音声データを独立して使用できるか否かを判別する（ステップＳ８０５）。独立して音声データを使用できる撮像装置１０３であるとき（ステップＳ８０５でＹＥＳ）は、当該撮像装置１０３に音声データを要求する（ステップＳ８０７）。
【００５０】
ここで、独立して音声データを使用できる撮像装置１０３であるか否かは位置関係情報５２０における「音声データ」の記載が「ｔｒｕｅ」又は「ｆａｌｓｅ」のいずれに該当するかによって判別される。「ｔｒｕｅ」の場合は音声データを使用できる撮像装置１０３であって、例えば、カメラ５０３が該当し、「ｆａｌｓｅ」の場合は音声データを使用できない撮像装置１０３であって、例えば、カメラ５０１が該当する。
【００５１】
カメラ５０１のように独立して音声データを使用できない撮像装置１０３であるとき（ステップＳ８０５でＮＯ）は、当該撮像装置１０３の周辺に設置されている撮像装置１０３のいずれか１つに変更する（ステップＳ８０６）。そして、変更後の撮像装置１０３が音声データを独立して使用できるか否かを再度判別する（ステップＳ８０５）。以下の説明では、ステップＳ６１３において特定された撮像装置１０３はカメラ５０１であるとし、独立して音声データが使用できる撮像装置１０３はカメラ５０３であるとする。
【００５２】
管理装置１０１はステップＳ８０５において独立して音声データが使用できると判別されたカメラ５０３の音声データを要求する（ステップＳ８０７）。そして、カメラ５０３は管理装置１０１に音声データを送信し（ステップＳ８０８）、管理装置１０１はステップＳ６１３において特定されたカメラ５０１に映像を要求する（ステップＳ８０９）。
【００５３】
カメラ５０１は映像データのみを管理装置１０１に送信する（ステップＳ８１０）。管理装置１０１は再生装置１０２にカメラ５０１が撮像した映像及びカメラ５０３が取得した音声を切り替え後のカメラであるカメラ５０１のＩＤと共に送信する（ステップＳ８１１）。再生装置１０２はカメラ５０１が撮像した映像及びカメラ５０３が取得した音声を再生して（ステップＳ８１２）、本処理を終了する。なお、音声データは特定のマイクや特定のカメラから得られる音声データであってもよい。
【００５４】
図８の処理によれば、再生装置１０２はカメラ５０１が撮像した映像及びカメラ５０３が取得した音声を再生する（ステップＳ８１２）。よって、カメラ５０１が撮像した映像をカメラ５０１の周辺に設置されているカメラ５０３の音声と共に再生することができ、もって映像と違和感のない音声を併せて再生することができる。
【００５５】
また、図８の処理の変形例として、カメラ５０１のように独立して音声データを使用できない撮像装置１０３によって撮像される映像と共に再生される音声をユーザによって指定される位置のカメラ５０３で取得された音声としてもよい。
【００５６】
本変形例の処理によれば、所望の映像を取得しているカメラとは異なる場所で音声を取得することができ、もってユーザは所望の映像を見つつ所望の音声、例えば、スタジアムの中心に近い音声や音楽のライブ等で特定のマイクから取得した音声を聞くことができる。
【００５７】
上記実施の形態では、再生装置１０２は１つとして説明したが、再生装置１０２は２つ以上であってもよい。この場合、２つ以上の再生装置１０２が複数のユーザによって操作されてもよく、各操作は異なる操作であってもよい。
【００５８】
上記実施の形態では、スマートフォンやタブレット等の再生装置１０２にタッチパネル操作を行っているが、タッチパネル操作に代えてキーボードやマウス等による操作を行ってもよい。また、上記実施の形態では、撮像装置１０３は、サッカースタジアム５００の中心に向けて配置されているが、３６０度いずれの方向に向けて配置されてもよく、壁一面に配置され且つ壁に対して垂直な方向に向けて配置されてもよい。
【００５９】
さらに、全ての再生装置は撮像装置１０３とネットワーク上で接続され、撮像装置１０３の位置関係情報が再生装置１０２に格納されていれば、再生装置と管理装置は同じ装置でもよいため、別途管理装置がない構成でも実現可能である。
【００６０】
なお、再生装置が再生する映像は動画だけでなく静止画も含む。動画の再生方法はストリーミング再生等公知の再生方法であればよく、ストリーミング再生の場合は、撮像装置１０３が撮像している映像に係るストリーミングデータを定期的に管理装置１０１を介して再生装置１０２が受信して再生する。
【００６１】
本発明は、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムを読み出して実行する処理において、そのプログラム、及び該プログラムを格納するコンピュータ読み取り可能な記憶媒体によって構成される。
【符号の説明】
【００６２】
１００  映像再生システム
１０１  管理装置
１０２  再生装置
１０３  撮像装置
５２０  位置関係情報
２０３  二次記憶装置
【図１】
2018170773.tif 000003
【図２】
2018170773.tif 000004
【図３】
2018170773.tif 000005
【図４】
2018170773.tif 000006
【図５】
2018170773.tif 000007
【図６】
2018170773.tif 000008
【図７】
2018170773.tif 000009
【図８】
2018170773.tif 000010
【図９】
2018170773.tif 000011
【図１０】
2018170773.tif 000012